(57)【要約】【課題】  穴あけの二次的加工を要することなく、木材資源の有効利用を図ることができる屋根における換気用棟木を提供する。【解決手段】  屋根における換気用棟木であって、棟木材をその長手方向に２分割して一対の棟木部材２ａ、２ｂを構成し、この一対の棟木部材２ａ、２ｂを所定の空間部を隔てて対向配置するとともに空間部にハニカム構造の介装部材３を設け、この一対の棟木部材２ａ、２ｂ及び介装部材３を一体に固着して所定の板厚の棟木１となし、介装部材３のハニカム構造は上下方向に連通する換気用空所４を有するものである。【選択図】  図１
2006348697.tif 000002
【特許請求の範囲】
【請求項１】
屋根における換気用棟木であって、左右一対の棟木部材を所定の空間部を隔てて長手方向に対向配置するとともに該空間部にハニカム構造の介装部材を設け、この一対の棟木部材及び介装部材を一体に固着して所定の板厚の棟木となし、前記介装部材のハニカム構造は上下方向に連通する換気用空所を有していることを特徴とする屋根における換気用棟木。
【請求項２】
屋根における換気用棟木であって、左右一対の棟木部材を所定の空間部を隔てて長手方向に対向配置するとともに該空間部に所望の間隔をおいて複数個の介装部材を設け、この一対の棟木部材及び介装部材を一体に固着して所定の板厚の棟木となし、該棟木は一対の棟木部材及び介装部材の内面で形成された上下方向に連通する複数個の換気用空所を有していることを特徴とする屋根における換気用棟木。
【請求項３】
請求項２記載の屋根における換気用棟木であって、前記一対の棟木部材及び介装部材の内面で形成された空所に上下方向に連通する換気用空所を有するハニカム構造の介装部材を設けたことを特徴とする屋根における換気用棟木。
【請求項４】
請求項３記載の屋根における換気用棟木であって、前記介装部材を、前記一対の棟木部材の内面方向に対向する空所を有するハニカム構造の介装部材としたことを特徴とする屋根における換気用棟木。
【発明の詳細な説明】
【技術分野】
【０００１】
本発明は、本発明は屋根における換気棟に使用される換気用棟木に関するものである。
【背景技術】
【０００２】
一般に、屋根構造にあっては、棟木を中心として両側に傾斜されて瓦が葺かれるものであり、主に、該屋根の頂部の桁行きに棟木が通され、この棟木の両側に屋根面の傾斜に対応して所定の間隔をおいて垂木が組付けられ、その上面には野地板等の屋根の下地部材が該棟木から全体にわたって張着され、その上部に瓦が敷設されるものであった。
そして、上記一般の構造の屋根にあって、屋根裏の換気に対応する手段として、例えば、棟木の上部に補助屋根を設けるとともに、その棟木に上下方向に貫通する穴状の開口部を設けて屋根裏と補助屋根の空間部を連通させる換気構造が案出されていた。（特許文献１参照）
【特許文献１】実開平４−２１６３９号
【発明の開示】
【発明が解決しようとする課題】
【０００３】
しかしながら、通常棟木は、比較的大きな寸法を必要とする角材であることから一本木をそのまま加工して形成されることが多く、上記した従来のものにあって、該棟木自体にわざわざ穴あけ加工して開口部を形成するものであるから、その加工屑の発生に伴う作業環境や、木材資源の有効利用等に悪影響を及ぼすという問題点を惹起するものであった。
そこで、本発明は、上記した問題点に鑑み、穴あけの二次的加工を要することなく、木材資源の有効利用を図ることができる屋根における換気用棟木を提供することを課題とする。
【課題を解決するための手段】
【０００４】
上記した課題は、各請求項記載の発明によって解決される。
すなわち、請求項１記載の発明は、屋根における換気用棟木であって、左右一対の棟木部材を所定の空間部を隔てて長手方向に対向配置するとともに該空間部にハニカム構造の介装部材を設け、この一対の棟木部材及び介装部材を一体に固着して所定の板厚の棟木となし、前記介装部材のハニカム構造は上下方向に連通する換気用空所を有していることを要旨とする。
【０００５】
この発明にあっては、棟木としての寸法取りに必要な一本木を使用することなく、比較的薄い材料を結合（組み合わせ）して所定寸法幅の棟木を得ることがで、その結合（組み合わせ）部位に換気用空所を形成することができる。
したがって、該棟木の組付け状態にあって、該棟木自体に形成された換気用空所が屋根裏の換気通路として使用できることは勿論のことである。
【０００６】
請求項２記載の発明は、屋根における換気用棟木であって、左右一対の棟木部材を所定の空間部を隔てて長手方向に対向配置するとともに該空間部に所望の間隔をおいて複数個の介装部材を設け、この一対の棟木部材及び介装部材を一体に固着して所定の板厚の棟木となし、該棟木は一対の棟木部材及び介装部材の内面で形成された上下方向に連通する複数個の換気用空所を有していることを要旨とする。
【０００７】
この発明にあっては、請求項１と同様に、棟木としての寸法取りに必要な一本木を使用することなく、比較的薄い材料を結合（組み合わせ）して所定寸法幅の棟木を得ることがで、その結合（組み合わせ）部位に換気用空所を形成することができ、該棟木の組付け状態にあって、該棟木自体に形成された換気用空所が屋根裏の換気通路として使用できることは勿論のことである。
【０００８】
請求項３記載の発明は、請求項２記載の屋根における換気用棟木であって、前記一対の棟木部材及び介装部材の内面で形成された空所に上下方向に連通する換気用空所を有するハニカム構造の介装部材を設けたことを要旨とする。
【０００９】
この発明にあっては、請求項１及び２と同様に、棟木としての寸法取りに必要な一本木を使用することなく、比較的薄い材料を結合（組み合わせ）して所定寸法幅の棟木を得ることがで、その結合（組み合わせ）部位に換気用空所を形成することができ、該棟木の組付け状態にあって、該棟木自体に形成された換気用空所が屋根裏の換気通路として使用できることは勿論のことである。
【００１０】
請求項４記載の発明は、請求項３記載の屋根における換気用棟木であって、前記介装部材を、前記一対の棟木部材の内面方向に対向する空所を有するハニカム構造の介装部材としたことを要旨とする。
【００１１】
この発明にあっては、前記介装部材を、前記一対の棟木部材の内面方向に対向する空所を有するハニカム構造の介装部材とすることにより、棟木全体において、左右方向（横方向）に圧縮に対する強度を向上させることができる。
【発明の効果】
【００１２】
請求項１の発明によれば、比較的薄い材料を結合（組み合わせ）して所定寸法幅の棟木を得ることができ、棟木としての寸法取りに必要な一本木を使用することがないので、木材資源の有効利用を図ることができる。また、その結合（組み合わせ）部位に換気用空所を形成することができるので、穴あけの二次的加工を要することなく、その作業環境の良化向上を助長することができる。
【００１３】
請求項２の発明によれば、請求項１と同様に、木材資源の有効利用を図ることができるとともに、換気用の穴あけのための二次的加工を要することなく、その作業環境の良化向上を助長することができる。
【００１４】
請求項３の発明によれば、請求項１及び２と同様に、木材資源の有効利用を図ることができるとともに、換気用の穴あけのための二次的加工を要することなく、その作業環境の良化向上を助長することができる。
【００１５】
請求項４の発明によれば、棟木全体において、左右方向（横方向）に圧縮に対する強度を向上させることができる。
【発明を実施するための最良の形態】
【００１６】
次に、本発明を実施するための最良の形態について、実施例にしたがって説明する。
【実施例】
【００１７】
以下、本発明の一実施例を図にしたがって説明する。
図１に示すように、屋根の棟部位に使用される棟木１は、所望の断面形状の角材状でかつ長尺物に形成されるものであり、その長手方向に沿って対向された左右一対の棟木部材２ａ、２ｂと、該一対の棟木部材２ａ、２ｂ間に介装された介装部材３とから構成されている。すなわち、棟木１の主要部位を構成する前記左右一対の棟木部材２ａ、２ｂを、所定の空間部を隔てて長手方向に対向配置し、この空間部に複数層のハニカム構造の介装部材３を設け、この一対の棟木部材２ａ、２ｂと介装部材３との結合（組み合わせ）面にそれぞれ塗布された所望の接着剤（層）を介して一体に固着して所定の板厚（角材としての幅）の棟木１となしている。
【００１８】
そして、前記介装部材３における複数層のハニカム構造においては、上下方向に連通する多数個の換気用空所４〜４が形成されている。なお、複数層のハニカム構造の介装部材３は種々の材質のから成形することが可能であるが、強度を確保することができる材質から成形することが好ましく、その換気用空所４〜４の断面形状も図示以外の形状、例えば、六角形状に形成することもできる。さらに、前記ハニカム構造の介装部材３は、左右一対の棟木部材２ａ、２ｂの空間部の全域に設ける必要はなく、適宜の間隔をおいて設けることもできる。
【００１９】
また、前記棟木１全体としては、その上面において幅方向の中心部から両側に傾斜面１ａ、１ａがその長手方向全長にわたって形成されて山形状となし、この傾斜面１ａ，１ａの角度が施工すべき屋根の傾斜角度に対応するように設定されていることは勿論のことである。
【００２０】
本実施例の棟木１は上述のように構成されており、例えば、隅棟構造に使用される場合の組付けにあっては、図４に示すように、屋根の隅棟部位に棟木１を配設するとともに、該棟木１の所定の部位には施工すべき屋根の傾斜に対応して複数本の垂木Ｔが所定の間隔をおいてその棟木１を中心として両側に斜状に組付けられる。
【００２１】
ついで、前記垂木Ｔの上面に、野地板等の屋根の下地部材Ｎを棟木１から全体にわたって敷設するとともに、その上部に防水用のシート（図示しない）等を貼着する。
この場合、棟木１に対する下地部材Ｎの敷設にあって、両側の最上部に位置される下地部材Ｎはその上端縁どうしが突き合わせられることなく、若干の間隔をおいて対向するものであり、また、下地部材Ｎ上に貼着されるシートも該下地部材Ｎの間隔部位を閉塞するものではない。
したがって、棟木１の介装部材３における多数個の換気用空所４〜４はその上部を下地部材Ｎで閉塞されることなく、開放状態が確保されるものである。
【００２２】
そして、前記下地部材Ｎ（前記シート介在する）の上面に従来と同様に瓦を順次葺いていくものであり、棟木１の上方には既存の換気手段（図示しない）が組付けられるものである。
【００２３】
しかして、屋根裏側（室内側）と外部側とは棟木１の介装部材３における多数個の換気用空所４〜４及び換気手段（図示しない）によって連通状態となり、外部側に対して該屋根裏側（室内側）の換気がなされるものである。
【００２４】
このように、本実施例においては、棟木１は、その介装部材３における多数個の換気用空所４〜４が換気通路として使用されるものであるから、換気手段に特別の工夫を施す必要がなく、その換気構造の簡易化を図ることは勿論であり、比較的薄い材料が可能な一対の棟木部材２ａ、２ｂとその間の介装部材３とを結合（組み合わせ）して所定寸法幅の棟木１を得るものであり、棟木１としての寸法取りに必要な一本木を使用することがないので、木材資源の有効利用をなし得ることができる。
【００２５】
次に、図２に示す棟木１の別の実施例について説明すると、この図２に示す棟木１は、前述の実施例において、一対の棟木部材２ａ、２ｂを所定の空間部を隔てて対向配置し、この空間部に所望の間隔をおいて複数個の角材からなる介装部材５を設け、この一対の棟木部材２ａ、２ｂと介装部材５との結合（組み合わせ）面にそれぞれ塗布された接着剤（層）を介して一体に固着して所定の板厚（角材としての幅）の棟木１となし、該一対の棟木部材２ａ、２ｂ及び介装部材５の内面で上下方向に連通する複数個の換気用空所６が形成されるものであり、その余の構成及び使用状態は前述した実施例と同様であり、図中同符号を付してその説明を省略する。
したがって、作用効果にあっては、前述した実施例と同様の作用効果をそのまま享受するものである。
【００２６】
なお、上述した別例において、介装部材５を角材としたが、この材質及び形状は図示のものに限定するものではない。
【００２７】
さらに、図３に示す棟木１の別の実施例について説明すると、この図３に示す棟木１は、前述の図２に示す実施例において、一対の棟木部材２ａ、２ｂ及び介装部材５の内面で形成された上下方向に連通する複数個の換気用空所６内に、前述した図１に示す実施例における上下方向に連通する換気用空所４を有する複数層のハニカム構造の介装部材３を設けた構成であり、その余の構成及び使用状態は前述した実施例と同様であり、図中同符号を付してその説明を省略する。
したがって、作用効果にあっては、前述した実施例と同様の作用効果をそのまま享受するものである。
【００２８】
なお、上述した別例において、介装部材５を角材としたが、この材質及び形状は図示のものに限定するものではなく、例えば、上下方向に連通する換気用空所４を有する複数層のハニカム構造の介装部材３自体を９０度横向きにする、すなわち、前記一対の棟木部材２ａ、２ｂの内面方向に対向する空所を有するハニカム構造の介装部材３を使用することも可能である。この場合は、棟木１全体において、左右方向（横方向）に圧縮に対する強度を向上させることができるものである。
【００２９】
また、前述した各実施例において、棟木１の断面形状は、図示のものに限定するものではなく、例えば、矩形状等の他の断面角形状でもよい。
【図面の簡単な説明】
【００３０】
【図１】本発明の実施例を示す棟木の一部省略した斜視図である。
【図２】別の実施例を示す棟木の一部省略した斜視図である。
【図３】他の別実施例を示す棟木の一部省略した斜視図である。
【図４】棟木の組付け状態を示す説明図である。
【符号の説明】
【００３１】
１  棟木
２ａ、２ｂ  棟木部材
３、５  介装部材
４、６  換気用空所
【図１】
2006348697.tif 000003
【図２】
2006348697.tif 000004
【図３】
2006348697.tif 000005
【図４】
2006348697.tif 000006